(57)【要約】【課題】ドットバイドット表示が可能な表示装置に対して、入力画像信号をドットバイドット表示した場合にも、入力画像信号の周辺部分に残っている映像ノイズ成分が表示されることのない画像表示装置を提供すること。【解決手段】ドットバイドット表示が可能な表示装置１の表示画面周辺部分にマスキング処理によるマスク５を施し、ドットバイドット表示を行った際に現れる映像ノイズ２をマスクする。【選択図】図１
2010243943.tif 000002
【特許請求の範囲】
【請求項１】
入力画像信号をドットバイドットで表示することが可能な表示装置と、
前記表示装置の表示画面の最外周部に接する所定の画像よりなるマスクを形成するためのマスキング処理部と、を備えた画像表示装置であって、
前記マスキング処理部は、前記表示装置においてドットバイドット表示が行われた際に、前記表示装置の表示画面の縁部に現れる映像ノイズをカバーする所定幅のマスクを形成可能としたことを特徴とする画像表示装置。
【請求項２】
前記画像表示装置は、さらに、前記画像表示装置本体の所望部分の色に関する色情報保存部を備えており、前記マスク部分の画像を前記画像表示装置本体の所望部分の色と同一または近い色相の帯状の画像に設定できることを特徴とする請求項１に記載の画像表示装置。
【請求項３】
前記マスク部分の画像の幅は、前記表示装置の表示画面の上下左右の縁部毎に設定可能であることを特徴とする請求項１または２に記載の画像表示装置。
【請求項４】
前記マスク部分の画像の色を任意の色に設定可能としたことを特徴とした請求項１から３のいずれか一項に記載の画像表示装置。
【請求項５】
前記マスク部分の画像は、段階的なグラデーションがつけられていることを特徴とする請求項１から４のいずれか一項に記載の画像表示装置。
【請求項６】
前記画像表示装置は、さらに、前記表示装置に表示される入力画像信号の周辺部分のノイズを検出するノイズ検出部を有し、
前記ノイズ検出部で検出された範囲をマスキングすることを特徴とする請求項１から５のいずれか一項に記載の画像表示装置。
【請求項７】
マスキング処理の対象となる入力画像信号の種別をユーザーが予め設定可能とし、マスキング処理の対象となる画像信号が入力されたときに自動的にマスキング処理を行うことを特徴とする請求項１から６のいずれか一項に記載の画像表示装置。
【請求項８】
前記画像表示装置は、さらに、周囲の明るさを検出する明るさセンサを備えており、前記明るさセンサの検出出力に応じて前記マスク部分の画像の色を変えることを特徴とする請求項１、および３から７のいずれか一項に記載の画像表示装置。
【請求項９】
前記画像表示装置における表示装置は、エリアアクティブ方式のバックライト装置を有する液晶表示パネルで有って、マスク部分の輝度をマスク部分以外の輝度より下げたことを特徴とする請求項１から８のいずれか一項に記載の画像表示装置。
【請求項１０】
前記画像表示装置は、さらに、複数のマスキング条件を記憶するためのマスキング条件保持部と、前記複数のマスキング条件の各々に優先度を指定し、該優先度を記憶するための優先度保持部を備えており、入力画像信号がドットバイドットの情報を持つ画像信号の場合に自動的に優先度１のマスキング条件でマスキングを実行することを特徴とする請求項１から９のいずれか一項に記載の画像表示装置。
【請求項１１】
表示装置上に、画像信号を表示させてマスキングの状況を確認しながら手動でマスキングの条件を設定可能としたことを特徴とする請求項１から１０のいずれか一項に記載の画像表示装置。
【請求項１２】
手動で設定したマスキング条件に優先度を付与して登録可能としたことを特徴とする請求項１１に記載の画像表示装置。
【請求項１３】
前記画像表示装置は、液晶表示パネルを備えた液晶テレビであることを特徴とする請求項１から１２のいずれか一項に記載の画像表示装置。
【請求項１４】
前記画像表示装置に記録および／または再生装置を内蔵および／または外部接続可能としたことを特徴とする請求項１から１３のいずれか一項に記載の画像表示装置。
【請求項１５】
コンピュータを請求項１から１４のいずれか一項に記載の画像表示装置として機能させるための制御プログラム。
【請求項１６】
請求項１５に記載の画像表示装置制御プログラムを記憶したコンピュータ読み取り可能な記録媒体。
【発明の詳細な説明】
【技術分野】
【０００１】
本発明は、液晶テレビ等に代表される画像表示装置に関する。
【背景技術】
【０００２】
ハイビジョン放送の開始および普及に併せ、液晶テレビ等に代表される高品質な画像表示装置が普及し、さらに、最近では、所謂ドットバイドット表示（Ｄｏｔ  ｂｙ  Ｄｏｔ表示、入力信号の映像情報の１ピクセルを、表示パネルの１ドットに対応させて表示する表示方法）が可能な液晶テレビが登場している。ハイビジョン放送では、アスペクト比が１６：９で１９２０×１０８０ドットの解像度で映像信号が送信されており、このドットバイドット表示が可能な液晶テレビでは、アスペクト比が１６：９で１９２０×１０８０ドットの表示が可能である表示画面を備えている。
【０００３】
一方、従来のＮＴＳＣ放送を受信するアスペクト比４：３の表示画面を有する従来のテレビ受像機では、上記のアスペクト比１６：９の映像信号を受信した場合、このアスペクト比４：３のテレビに、アスペクト比１６：９の映像信号を表示させる必要があり、例えば、表示画面の上下にブランク領域を付加して表示している。このブランク領域は、通常、灰色に表示されるだけであり、趣向性の乏しいものであった。
【０００４】
特許文献１には、上記のような課題を解決するために、従来灰色に表示されていたブランク領域にグラデーション画像を表示させる、あるいは、予め設定された模様画像を表示させる技術が記載されている。
【０００５】
図１７は、上記の特許文献１に記載された技術を示すものであり、アスペクト比４：３の表示画面にアスペクト比１６：９の映像信号を表示させた場合の例を示している。図１７において、映像領域Ｔｐの平均輝度が例えば６であった場合に、映像領域Ｔｐに最も近い領域の輝度レベルが５で、且つ、映像領域に最も遠い領域の輝度レベルが１のグラデーション画像となるようにしたレターボックスＬｄ１、Ｌｄ２を表示画面の上下に付加している。
【０００６】
アスペクト比１６：９の表示画面を有するテレビにおいて、アスペクト比１６：９の映像信号を表示する場合には、アスペクト比の差に基づく上記のような課題は生じない。
【先行技術文献】
【特許文献】
【０００７】
【特許文献１】特開２００７−１５０５０２号公報（平成１９年６月１４日公開）
【発明の概要】
【発明が解決しようとする課題】
【０００８】
既に述べたとおり、アスペクト比１６：９の表示画面を有するテレビにおいて、アスペクト比１６：９の映像信号を表示する場合には、アスペクト比の差に基づく上記の映像信号の無いブランク領域が生ずるという課題は生じない。然しながら、１９２０×１０８０ドットのドットバイドット表示の可能な液晶テレビで我が国（日本）のハイビジョン放送を受信し、ドットバイドット表示を行うと、画面周辺部に映像ノイズといわれるノイズが表示される場合があり、このため、せっかくの高画質ハイビジョン映像の表示品質が劣化してしまう場合があった。
【０００９】
これは、従来販売されているドットバイドット表示のできないテレビとの互換性を保つため、わが国（日本）のテレビ放送では所謂「オーバースキャン」方式を採用しているためであって、従来、表示画面領域の外で見えなかった映像ノイズ（表示画像以外の管理信号や制御信号が画像ノイズとして見えるもの）が映ってしまう場合がるためである。特に、近年の大画面テレビでは、高精細パネルであるため、画面の上下端（あるいは左右端）に少しでもノイズが映ると、そのノイズが気になり、表示品質の低下が目立つことになる。
【００１０】
図１８は、このような状況を説明するための図である。図１８（ａ）は、ドットバイドット表示の可能なテレビに現行のハイビジョン放送を受信して、ドットバイドット表示させた場合の状況を示しており、表示画面１１１の周辺部分１１２に画像１１３を囲んだノイズが映り込んでいる場合を示している。この図は、よりわかり易くするため、誇張してしかも周辺部分を囲っているように記載しているが、実際には、放送波によっても異なり、４辺全てにノイズが現れないときもある。
【００１１】
このようなノイズを見えなくするため、実際のテレビでは、図１８（ｂ）に示すように、画像を拡大（オーバースキャン）して表示している。然しながら、オーバースキャンを行うと、放送局から送られてきたオリジナル画像を拡大加工するため、どうしても画質が劣化してしまうという課題を有する。
【００１２】
また、近年、ハイビジョン放送をそのままの画質で１枚のディスクにダイレクト録画できるブルーレイディスクレコーダ（ＢＤ）が普及してきているが、このＢＤで録画したハイビジョン放送の映像をドットバイドット表示の可能な画像表示装置でドットバイドット表示させると、前述の図１８（ａ）に示したと同様の状況が起こる。
【００１３】
さらに、ＢＤを搭載したゲーム機等も普及してきており、前述のような状況は、このようなゲーム機によって、ハイビジョン放送を録画および再生する場合にも起きることになる。
【００１４】
本発明は、上述の従来技術の課題に鑑みて成されたものであり、ピクセル単位で映像情報を送るようなシステム、例えば、デジタル放送のフルハイビジョン放送を受信し、ドットバイドット表示を行う場合にも、見栄えを損なうことなく、しかも、画質劣化の無い表示を行うことができる画像表示装置を提供することを目的としている。
【課題を解決するための手段】
【００１５】
上述の課題を解決するために、本願の発明に係る画像表示装置では、入力画像信号をドットバイドットで表示することが可能な表示装置と、前記表示装置の表示画面の縁部に接する所定の画像よりなるマスクを形成するためのマスキング処理部と、を備えた画像表示装置であって、前記マスキング処理部は、前記表示装置においてドットバイドット表示が行われた際に、前記表示装置の表示画面の縁部に現れる映像ノイズをカバーする所定幅のマスクを形成可能としたことを特徴としている。
【００１６】
これによれば、放送局から送られたハイビジョン放送等をドットバイドット表示した場合にも、表示装置の表示画面周辺部（縁部）において現れることがある不要なノイズ成分がマスクされ、ノイズ部分を気にすることなくドットバイドットの高画質な映像を表示できる画像表示装置を提供することが出来る。
【００１７】
上述の課題を解決するために、本願の別の発明に係る画像表示装置では、前記画像表示装置は、さらに、前記画像表示装置本体の所望部分の色に関する色情報保存部を備えており、前記マスク部分の画像を前記画像表示装置本体の所望部分の色と同一または近い色の帯状の画像に設定できることを特徴としている。
【００１８】
これによれば、画像表示装置の本体部分に近い色で表示画面周辺部がマスクされることなり、マスクを施した際にも違和感のない表示が可能となる。
【００１９】
上述の課題を解決するために、本願のさらに別の発明に係る画像表示装置では、前記マスク部分の画像の幅は、前記表示装置の表示画面の上下左右の辺（縁部）毎に設定可能であることを特徴としている。
【００２０】
これによれば、実際の映像ノイズが表れるに辺（縁部）のみにマスクを設けることが可能となり、表示画面を最大限に利用可能となる。
【００２１】
上述の課題を解決するために、本願のさらに別の発明に係る画像表示装置では、前記マスク部分の画像の色を任意の色に設定可能としたことを特徴としている。
【００２２】
これによれば、マスクの色として、使用者の好みに従った色を選ぶことが出来る。
【００２３】
上述の課題を解決するために、本願のさらに別の発明に係る画像表示装置では、前記マスク部分の画像は、段階的なグラデーションがつけられていることを特徴としている。
【００２４】
これによれば、マスクの存在を目立たなくすることが可能となる。
【００２５】
上述の課題を解決するために、本願のさらに別の発明に係る画像表示装置では、前記画像表示装置は、さらに、前記表示装置に表示される入力画像信号の周辺部分のノイズを検出するノイズ検出部を有し、前記ノイズ検出部で検出された範囲をマスキングすることを特徴としている。
【００２６】
これによれば、特に、使用者の手を煩わせることなくマスキングを行うことが可能であり、使用者の意識に関わらず常に、最高の画質での表示が可能となる。
【００２７】
上述の課題を解決するために、本願のさらに別の発明に係る画像表示装置では、マスキング処理の対象となる画像信号の種別をユーザーが予め設定可能とし、マスキング処理の対象となる画像信号が入力されたときに自動的にマスキング処理を行うことを特徴としている。
【００２８】
これによれば、特に、ノイズの多い画像信号のみにマスクを施すことが出来る等、出来るだけマスクを設けたくないような使用者のニーズにも副いながら、目立つノイズ部分をマスクすることが可能となる。
【００２９】
上述の課題を解決するために、本願のさらに別の発明に係る画像表示装置では、前記画像表示装置は、さらに、周囲の明るさを検出する明るさセンサを備えており、前記明るさセンサの検出出力に応じて前記マスク部分の画像の色を変えることを特徴としている。
【００３０】
これによれば、暗いとき（夜など）では、少し暗くして、マスクを設けたことによる違和感を少なくすることが可能である。また、バックライトにエリアアクティブ方式の装置を使用した場合等では省エネ効果をも有する。
【００３１】
上述の課題を解決するために、本願のさらに別の発明に係る画像表示装置では、前記画像表示装置における表示装置は、エリアアクティブ方式のバックライト装置を有する液晶表示パネルで有って、マスク部分の輝度をマスク部分以外の輝度より下げたことを特徴としている。
【００３２】
これによれば、画像表示装置の省エネ効果が期待できる。
【００３３】
上述の課題を解決するために、本願のさらに別の発明に係る画像表示装置では、前記画像表示装置は、さらに、複数のマスキング条件を記憶するためのマスキング条件保持部と、前記複数のマスキング条件の各々に優先度を指定し、該優先度を記憶するための優先度保持部を備えており、入力画像信号がドットバイドットの情報を持つ画像信号の場合に自動的に優先度１のマスキング条件でマスキングを実行することを特徴としている。
【００３４】
これによれば、使用者に格別の操作を要求せずに、優先度が付与された条件でのマスキングを行うことができ、マスキング処理が可能な画像表示装置の操作を簡単にすることができる。
【００３５】
上述の課題を解決するために、本願のさらに別の発明に係る画像表示装置では、表示装置上に、画像信号を表示させてマスキングの状況を確認しながら手動でマスキングの条件を設定可能としたことを特徴としている。
【００３６】
これによれば、画像信号の状況に応じた細かいマスキング条件の設定が可能となる。
【００３７】
上述の課題を解決するために、本願のさらに別の発明に係る画像表示装置では、手動で設定したマスキング条件に優先度を付与して登録可能としたことを特徴としている。
【００３８】
これによれば、使用者の好みに応じたマスキング条件でのマスキング処理を行わせることが可能となり、
上述の課題を解決するために、本願のさらに別の発明に係る画像表示装置では、前記画像表示装置は、液晶表示パネルを備えた液晶テレビであることを特徴としている。
【００３９】
これによれば、液晶テレビにおいて、ドットバイドット表示可能な放送波を受信してドットバイドット表示を行っても、不要なノイズ成分を覆うマスクを付加することが可能となり、高画質の画像を楽しむことができる。
【００４０】
上述の課題を解決するために、本願のさらに別の発明に係る画像表示装置では、前記画像表示装置に記録および／または再生装置を内蔵および／または外部接続可能としたことを特徴としている。
【００４１】
これによれば、ＢＤ等の外部記録再生装置を接続した場合で、該記録再生装置からの映像を楽しむ際にも、マスクを施すことができ、高画質の画像を楽しむことが出来る。
【００４２】
上述の課題を解決するために、本願のさらに別の発明に係る画像表示装置では、コンピュータを画像表示装置として機能させるための制御プログラムを特徴としている。
【００４３】
これによれば、ドットバイドット表示可能な画像表示装置において、ドットバイドット表示を行った際に、ノイズ部分にマスクを施すための制御プログラムが得られる。
【００４４】
上述の課題を解決するために、本願のさらに別の発明に係る画像表示装置では、画像表示装置制御プログラムを記憶したコンピュータ読み取り可能な記録媒体を特徴としている。
【００４５】
これによれば、ドットバイドット表示可能な画像表示装置において、ドットバイドット表示を行った際に、ノイズ部分にマスクを施すための制御プログラムを記録した記録媒体が得られる。
【発明の効果】
【００４６】
以上に述べたとおり、本願の発明に係る画像表示装置では、入力画像信号をドットバイドットで表示することが可能な表示装置と、前記表示装置の表示画面の縁部に接する所定の画像よりなるマスクを形成するためのマスキング処理部と、を備えた画像表示装置であって、前記マスキング処理部は、前記表示装置においてドットバイドット表示が行われた際に、前記表示装置の表示画面の縁部に現れる映像ノイズをカバーする所定幅のマスクを形成可能としたことを特徴としている。
【００４７】
これにより、放送局から送られたハイビジョン放送等をドットバイドット表示した場合にも、表示装置の表示画面周辺部（縁部）において現れることがある不要なノイズ成分をマスクすることができるので、ノイズ部分を気にすることなくドットバイドットの高画質な映像を楽しむことができる画像表示装置を得ることができる。
【図面の簡単な説明】
【００４８】
【図１】本発明の原理的な考え方を説明するための図である。
【図２】本発明を液晶テレビに適用した一実施例を示す図である。
【図３】本発明の一実施例の動作フロー図である。
【図４】リモートコントローラでの操作例を示す図である。
【図５】マスキング条件を設定するためのフロー図である。
【図６】マスキング条件を設定するための具体例を説明する図である。
【図７】マスキング条件を設定するための他の具体例を説明する図である。
【図８】手動によるマスキング条件設定のフロー図である。
【図９】手動によるマスキング条件設定時の画面表示の一例を示す図である。
【図１０】手動によるマスキング条件設定時の画面表示の他の例を示す図である。
【図１１】グラデーションの例を示す図である。
【図１２】カラーパレットの例を示す図である。
【図１３】フォトセンサの出力とマスクの色濃度との関係を示す図である。
【図１４】マスキング条件の例とマスキング条件設定例を示す図である。
【図１５】マスク設定パラメータ表を利用してマスキング条件を設定する場合の例を示す図である。
【図１６】自動マスキングを説明するためのフロー図である。
【図１７】従来例を説明するための図である。
【図１８】従来のオーバースキャン表示を説明するための図である。
【発明を実施するための形態】
【００４９】
本発明の実施形態を説明する前に、本発明の原理的な考え方を説明する。
【００５０】
図１は、本発明に従った画像表示装置の原理的な考え方を説明するための図である。図１（ａ）は、ピクセル単位で映像情報を送信しているハイビジョン放送を受信し、ドットバイドット表示が可能な液晶表示パネル等より成る表示装置を有する画像表示装置において、ドットバイドット表示を行った場合の状況を示しており、図１（ｂ）は、本発明に従ったマスキングを行っている途中の状況を示しており、図１（ｃ）は、本発明に従ったマスキングを完成させた状況を示している。
【００５１】
なお、本発明においては、「マスキング」とは、以下に詳細に説明するように、表示画面の一部を、例えば、一定の色、模様等の画像でカバーすることを意味している。
【００５２】
既に図１８を用いて説明したとおり、ピクセル単位で映像情報を送信しているハイビジョン放送を、所謂ドットバイドット方式で表示を行うと、図１（ａ）に示すとおり、表示装置１の表示画面の縁部（辺部分）、例えば、表示画面の下側の縁部（または辺部）に映像ノイズ２が混入する場合がある。この映像ノイズ２（以下、単にノイズ２と称する）は、通常幅が５ピクセル分程度の比較的狭い領域に現れるものであるが、表示画面１に表示される画像とは、まったく関係のないノイズであり、表示画面に表示される画像とは無関係に時間と共に変動し、大画面になればなる程目立ってきて、表示画質を損なうことになる。このノイズについてはオーバースキャンを行うことで見えなくなるため、これまで注目されていなかったが、特に、大画面、高精細の表示装置を用いてドットバイドット表示を行う際に気懸かりとなるものである。
【００５３】
そこで、本願発明では、このノイズ２部分を所定の画像、例えば、一定色の帯でマスキングし、ノイズ２部分を見えなくするものである。図１（ｂ）には、ノイズ２部分の一部に対してマスキングが施され、その結果、ノイズ２の一部がマスク５に覆われている状況が示されている。また、図１（ｃ）には、ノイズ部分の全てがマスク５で覆われた状況が示されている。
【００５４】
なお、図１（ａ）、図１（ｂ）、図１（ｃ）において、３は、後で詳細を説明する手動操作でマスキングを行う場合に画面に表示される手動操作のための操作ガイド表示（インディケータ）であり、４は、マスキング操作時にマスク５の幅を決め易くするためのスライドバーであり、操作指示用のインディケータ３と同様、後で詳細を説明する。
【００５５】
本発明では、図１（ｃ）に示すように、ピクセル単位の画像情報が含まれている映像情報を、ドットバイドット表示した場合に、映像ノイズが表示される領域を所定の色の帯等でカバーし、映像ノイズを見えなくすることができるものである。これによれば、映像ノイズが含まれているような映像情報であっても、ノイズ成分を見えないようにしつつ、もともとの映像情報に含まれている情報を、そのままの形で表示することができ、高品質での表示が可能となる。なお、以上の説明では、マスキングが実行されたときのマスク５として「所定の色の帯等」としているが、後で説明するとおり、「所定の色の帯」に限らず、種々の変形が考えられることから、一般的には、このマスク５としてより一般的な表示を意味する場合には、「所定の画像」あるいは単に「画像」と記載する。
【００５６】
以下に、本発明に従った実施例を説明する。なお、以下の説明では、本発明を実施するために好ましい種々の限定が付されているが、本発明の技術的範囲は以下の実施例および図面に限定されるものではない。
【００５７】
［実施例１］
図２は、本願発明の実施例１を示す図であり、本願発明を、ドットバイドット表示が可能な液晶表示パネル等の表示装置を備えた液晶テレビに適用した場合の例を示している。なお、テレビとして動作する部分は、従来公知の技術を用いることが出来るため、図２においては、図面が複雑になりすぎることを避けるために、概略の構成として記載している。
【００５８】
図２において、１０は、ドットバイドット表示が可能であり、且つ、図１と共に説明した映像ノイズ部分をマスキングすることが可能な液晶テレビを示している。この液晶テレビ１０は、バス８に接続されたＣＰＵ６、メモリ７を有しており、この液晶テレビ１０の動作は、前記ＣＰＵ６および前記メモリ７に記憶された各種の制御プログラムにより制御される。
【００５９】
前記メモリ７は、通常、ＲＡＭによって構成されるが、一部にＲＯＭを含んでいても良い。また、書き換え可能なフラッシュメモリ等を含んでいても良い。前記メモリ７には、ＣＰＵを動作させるためのＯＳや各種の制御ソフト等が記憶され、また、各種制御動作に必要なワークメモリとして働くワーク領域を有しており、さらに、放送波を介して受信したＥＰＧデータ等の番組情報に関するデータ、ＯＳＤ表示を行う際に必要となるＯＳＤ用画像データ等が記憶されている。
【００６０】
液晶テレビ１０には、デジタルチュナー部１４の外に、アナログチュナー部１２が設けられており、アナログ放送も受信可能とされている。また、外部入力部３１には、ＨＤＤ、ＳＤカード等の固体メモリ、ＢＤ（ブルーレイディスク）、ＤＶＤ、ＣＤ等のディスク装置等、種々の外部機器３０が接続可能とされており、さらに、液晶テレビ１０の本体内にもＢＤ／ＤＶＤ／ＣＤの記録／再生部３２が内蔵されている。さらに、ＩＰ放送チュナー部２３が備えられており、ＩＰ放送の受信も可能とされている。
【００６１】
液晶テレビ１０は、この外、ＡＶスイッチ部１３、デジタル復調部１５、分離部（ＤＭＵＸ）１６、ビデオデコード／キャプチャ部１７、ビデオセレクタ部１８、映像処理部１９、加算回路２０、表示制御部２１、液晶表示装置２２、ＥＰＧ／ＯＳＤ／予約処理部２４、オーディオデコード部２５、オーディオセレクタ部２６、音声出力変換部２７、スピーカ２８、選局部３３、通信制御部３４、リモコン受光部３５を有している。
【００６２】
本発明に従った液晶テレビ１０には、さらに、図１と共に説明したマスキングを実現するためのマスキング処理用メモリ３７、周囲の明るさを検出するためのＯＰＣ（光）センサ３８、マスキング処理部３９が設けられている。なお、ここでは説明の都合上、特に、マスキング処理用メモリ３７を設ける旨の説明をしているが、もともと設けられているメモリ７の一部領域を利用できることは言うまでもない。
【００６３】
アナログチュナー部１２は、アナログ放送受信用のアンテナ１１を介して受信するアナログテレビ放送信号を選局するもので、選局部３３からの選局指示に応じて選局を行う。アナログチュナー部１２からの受信信号は、ＡＶスイッチ部１３において、音声信号と映像信号とに分離され、映像信号はビデオセレクタ部１８に入力され、音声信号はオーディオセレクタ部２６に入力される。
【００６４】
デジタルチュナー部１４は、デジタル放送受信用アンテナ１１’介して受信するデジタルテレビ放送信号を選局するもので、選局部３３からの選局指示に応じて受信するチャンネルの選局を行う。デジタルチュナー部１４からの受信信号は、デジタル復調部１５にて復調され、分離部（ＤＭＵＸ）１６に送られる。
【００６５】
ＩＰ放送チュナー部２３は、電話回線およびＬＡＮ等に接続された通信制御部３４を介して受信するＩＰ放送を選局するもので、選局部３３からの選局指示に応じて受信する特定のＩＰ放送を選局し、出力を分離部（ＤＭＵＸ）１６に送る。
【００６６】
分離部（ＤＭＵＸ）１６は、デジタル復調部１５またはＩＰ放送チュナー部２３から入力された、多重化された映像データ、音声データを分離し、映像データをビデオデコード／キャプチャ部１７に送り、音声データをオーディオデコード部２５に送る。さらに、分離部（ＤＭＵＸ）１６は、放送信号に含まれるＥＰＧデータ等のデータを抽出し、ＥＰＧ／ＯＳＤ／予約処理部２４に送る。また、後で詳細に説明するマスキング処理に必要な情報類をマスキング処理部３９に送る。なお、分離部（ＤＭＵＸ）１６によって抽出された放送波信号は、必要に応じてＣＰＵ６による書き込み制御によりメモリ７に記録される。
【００６７】
ビデオデコード／キャプチャ部１７は、分離部（ＤＭＵＸ）１６によって分離された映像データをデコードしたり、映像データに含まれるビデオ情報を静止画としてキャプチャしたりする。前記ビデオデコード／キャプチャ部１７によってデコードされた映像信号は、ビデオセレクタ部１８に送られる。ビデオセレクタ部１８には、既に説明したとおり、アナログチュナー部１２からの映像信号が入力されており、また、外部入力部３１からの映像信号も入力されている。ビデオセレクタ部１８は、ＣＰＵ６からの制御信号により、これらの入力画像信号から１つの映像信号を選んで出力し、映像処理部１９に送る。
【００６８】
映像処理部１９では、入力された映像信号に対して、例えば、ノイズリダクションの処理、シャープネスの調整、コントラストの調整等の映像処理を行い、液晶表示装置２２に対して最適な映像信号となるように映像データを変換する。
【００６９】
表示制御部２１は、受信した映像データを液晶表示装置２２に表示させるための駆動回路を含む部分であり、加算回路２０によって加算された、ＥＰＧ／ＯＳＤ／予約処理部２４からの電子番組表（ＥＰＧ；Electronic Program Guide）データ、あるいは、ＯＳＤ（オン・スクリーン・ディスプレイ）データを、映像処理部１９からの映像データに加えて液晶表示装置２２に送る。液晶表示装置２２では、送られてきた映像データを画面上に表示する。
【００７０】
加算回路２０には、さらに、本発明に従って設けられたマスキング処理部３９からのデータが入力されているが、この点については、後で詳細に説明する。
【００７１】
オーディオデコード部２５は、分離部（ＤＭＵＸ）１６によって分離された音声データをデコードするものである。オーディオデコード部２５は、デコードした音声信号をオーディオセレクタ部２６に送る。
【００７２】
オーディオセレクタ部２６では、ＡＶスイッチ部１３からの音声信号、外部入力部３１からの音声信号、および、オーディオデコード部２５からの音声信号を受け、ＣＰＵ６からの制御によってビデオセレクタ部１８で選択された映像信号に対応した音声信号を選択し、音声出力変換部２７を介して音声信号をスピーカ２８に送る。音声出力変換部２７は、受信した音声信号をスピーカ２８での再生に最適な信号に変換してスピーカ２８に供給する。
【００７３】
リモコン受光部３５は、リモートコントローラ３６からの光信号を受信して、前記リモートコントローラ３６からの制御信号を受け付けるためのものである。後から説明する手動マスキング処理の実行時における使用者からの指示は、このリモートコントローラを介して行われる。
【００７４】
ＥＰＧ／ＯＳＤ／予約処理部２４は、定期的に更新保存されたＥＰＧデータに基づき電子番組表を作成し、また、メモリ７に予め保存されているＯＳＤデータを描画する。前記のＯＳＤデータとは、例えば、予めメモリ７に記憶された設定メニュー画面、音量ケージ、現在時刻、選局チャンネル等の各種情報を描画するためのデータである。また、ＥＰＧ／ＯＳＤ／予約処理部２４は、前記の電子番組表を利用して番組の予約処理等を行う。
【００７５】
通信制御部３４は、電話回線、ＬＡＮ、インターネット等のネットワーク網を介して通信を確立させるように制御を行う。
【００７６】
マスキング処理用メモリ３７は、図３、図５、図６、図７、図８及び図１６等に示されたマスキング処理実行の際に必要となる各種の制御プログラムを記憶しており、さらに、マスキング処理の実行に必要な種々のデータ類を記憶している。即ち、たとえば、後で詳細を説明する図１１に示す色情報を保存する部分（色情報保存部）、図１４、図１５に示すマスキング条件を保存する部分（マスキング情報保存部）等として機能する。なお、上記の制御プログラムをコンピュータ読み取り可能な記録媒体に記憶させておき、その制御プログラム自体を単独で扱えるようにしておいて、容易に任意の液晶テレビ等にマスキング処理機能を持たせるようにすることも可能である。
【００７７】
マスキング処理部３９では、コンピュータとして動作するＣＰＵ６及びマスキング処理用の各種のプログラム等と協働して後で詳細を説明する図３、図５、図６、図７、図８及び図１６に示す各種の処理を実行する。
【００７８】
次に、図３から図７を用いて、図２に示した液晶テレビにおけるマスキング処理の手順の一例を説明し、次いで、図７〜図１５を用いて、手動によるマスキング処理の１実施例を説明し、さらに、図１６を用いて、全自動のマスキング処理の１実施例を説明する。
【００７９】
図３は、図２に示した液晶テレビにおいて、図１を用いて説明した本発明に従ったマスキングを行う手順の一例を示す図（フローチャート）である。なお、以下に説明する手順は、主としてＣＰＵ６、マスキング処理用メモリ３７、マスキング処理部３９によって達成される。また、液晶テレビの使用者による入力は図２に示したリモートコントローラ３６およびリモコン受光部３５によって行われる。
【００８０】
なお、図３に示すフローチャートは、図２に示した液晶テレビの動作に関する手順の概略を示しており、全体の詳細な手順を正確に示したものではない。即ち、各種の処理、例えば、電源ＯＦＦの処理、チャンネル切り換え等を含む入力の切り替え処理、非マスキング表示中のマスキング機能のＯＮ処理、マスキング表示中のマスキング機能のＯＦＦ処理、マスキング表示中のマスキング条件の変更処理、画面表示モードの変更処理（ドットバイドット表示のＯＮ、ＯＦＦ処理等）等は、液晶テレビの視聴中において、適宜、使用者からの指令により割り込み可能であるが、図３のフローチャートでは過度に複雑になることを避けるため、これらの全てを記載してはいない。
【００８１】
図３において、液晶テレビの電源がＯＮになると、入力信号がドットバイドット対応信号か否かが識別される（Ｓｔ．１）。この識別は、図２のマスキング処理部３９によって行われる。Ｓｔ．１における前記識別処理は、入力信号自身を分析してドットバイドット対応信号か否かを検出することも可能であるが、より簡単には、予め、どの入力信号がドットバイドット対応信号であるかを図２中のマスキング処理用メモリ３７に登録しておくことにより、自動的に行わせることができる。例えば、入力が地上デジタル放送である場合、あるいはＢＤ再生装置からの信号である場合等をドットバイドット対応信号であるとして、予め前記マスキング処理用メモリ３７登録しておく。液晶テレビ視聴時には、現在視聴しているコンテンツが何処からの信号であるかを検出して、ドットバイドット対応信号か否かを判定する（Ｓｔ．２）。
【００８２】
ドットバイドット対応信号である場合には、さらに、液晶テレビの画面表示モードがドットバイドット表示モードに設定されているか否かを検出し（Ｓｔ．３）、ドットバイドット表示モードに設定されている場合には、さらに、液晶テレビにおいて、マスキング機能がＯＮに設定されているか否かを検出する（Ｓｔ．４）。
【００８３】
液晶テレビにおける前記の設定（ドットバイドット表示モードをＯＮにするかＯＦＦにするかの設定、および、マスキング機能をＯＮにするかＯＦＦにするかの設定）は、予め、いずれに設定しておくことが好ましい。例えば、工場出荷時に、前記の設定をいずれも「ＹＥＳ」にしておけば、視聴者が液晶テレビの電源スイッチをＯＮにすると、入力信号がドットバイドット対応信号であるときは、自動的に、「マスキング機能がオンになった表示」がなされることになる。
【００８４】
また、上記の設定（ドットバイドット表示モードをＯＮにするかＯＦＦにするかの設定、および、マスキング機能をＯＮにするかＯＦＦにするかの設定）については、使用者が最初に電源を投入する際に、使用者が設定するようにしても良い。即ち、使用者が最初に電源を投入した際に、Ｓｔ．３、Ｓｔ．４において、設定をどのようにするかの使用者に対する問いかけのメッセージを表示させ、そのメッセージに従って、使用者が初期設定を行うようにしてもよい。
【００８５】
また、煩雑さをいとわなければ、電源スイッチをＯＮにする度に、さらには、入力を切り換える度に使用者に設定を促し、それに従って使用者が設定するようにしても良い。
【００８６】
なお、既に説明したが、上記の設定（ドットバイドット表示モードをＯＮにするかＯＦＦにするかの設定、および、マスキング機能をＯＮにするかＯＦＦにするかの設定）の変更処理は、液晶テレビの視聴中、いつでも割り込み出来るようにしておくことが好ましく、この場合には、視聴者が自分の好みに応じた設定がいつでも容易に可能となる。
【００８７】
マスキング機能がＯＮに設定されているときは、マスキングの条件を設定する処理に入ることになる（Ｓｔ．５）。このマスキング条件設定処理の詳細は、図５を用いて後で説明するが、工場出荷時に、予め、特定のマスキング条件を優先設定しておき、特に、マスキング条件変更処理の割り込みがこない限り、そのマスキング条件でマスキングを実行させることが出来る。
【００８８】
本実施例による液晶テレビは、前記Ｓｔ．５のマスキング条件設定処理で設定された条件（設定値）によってマスキング処理を実行し（Ｓｔ．６）、マスキング機能をＯＦＦにせよとの指令が入力されるまで（Ｓｔ．７）、あるいは、電源がＯＦＦになるまで（Ｓｔ．８）、マスキングを実行した表示を継続することになる。
【００８９】
前記Ｓｔ．２において、入力信号がドットバイドット対応信号でないときは、非マスキングでの表示を行うことになる（Ｓｔ．９）。また、ＳＴ．３において、液晶テレビの画面表示モードがドットバイドットでの表示モードでなかった場合、ドットバイドットモードに変更するか否かの確認を求められるので、使用者は、リモートコントローラから指示を入力する（Ｓｔ．１０）。ドットバイドット表示モードに変更しない場合には、非マスキングでの表示を行う（Ｓｔ．１１）。非マスキングでの表示は、マスキング機能をＯＮにせよとの指示が入力されるまで継続する（Ｓｔ．１２）。
【００９０】
図４は、Ｓｔ．１０における、使用者からの指示を入力する入力方法の一例を示している。入力信号がドットバイドット対応信号であるにも係らず、画面表示モードがドットバイドット表示に設定されていない場合、Ｓｔ．１０において、液晶テレビの表示装置１の表示画面に、図４（ａ）に示すように「画面サイズ切り替え」の表示４１がなされるので、使用者は、図４（ｂ）に示すリモートコントローラ３６によってドットバイドット表示モードへの切り替えを意味する「ドットバイドット」を選択する。
【００９１】
図４は、ドットバイドット表示モードへ割り込み操作の一例をも示している。即ち、リモートコントローラ３６の「メニュー」キー４２を押すと、その時に操作できる項目の表示がなされるので、その中から画面サイズを指定する「画面サイズ」キー４３を押す。液晶テレビが、ドットバイドット対応信号を受信中でありながら、ドットバイドット表示モードでない場合には、「画面サイズ」キー４３の押し下げにより、表示装置１の表示画面上には、画面サイズ切り替えの表示４１が成されるので、「上下左右移動指示」キー４５を操作して、「ドットバイドット」を選び、「決定」キー４４を押し下げてドットバイドット表示モードに切り換える。
【００９２】
なお、図３におけるＳｔ．１１およびＳｔ．１２の記載は、「マスキング機能ＯＮ」の指令が入力されるまで、非マスキングでの表示が行われることを示しており、非マスキングでの表示が継続している状態中に、「マスキング機能ＯＮ」の指令が割り込まれると、画面表示モードが「ドットバイドットの表示モード」に変更されることを示している。
【００９３】
図５は、図３に示したフロー中のＳｔ．５（マスキング条件設定処理）の一例の詳細を示すフロー図である。マスキングを行う際に考慮すべき事項は種々あるが、例えば、図１４に示すような項目、即ち、グラデーション、マスク幅、マスク領域、マスクの色等がある。マスキング条件設定処理は、これらの各項目に対して１の条件を選択し設定するものであるが、この実施例の液晶テレビでは、メーカ設定としてデフォルト設定（優先度が一番目）が決められている。図１４は、マスク設定パラメータ表の例であるが、この詳細については後述する。
【００９４】
マスキング条件設定処理では、先ず、優先設定の設定値に従ってマスキングを実施する（Ｓｔ．１）。前述のとおり、本実施例では、図１４に示した、設定条件の内、優先度に○印が付与された条件でのマスキングが実行される。次いで、Ｓｔ．２において、マスキング方法を変更するか否かの指示が求められるが、この実施例に示した液晶テレビでは、工場出荷時にデフォルト設定として「マスキング方法は変更しない」ように予め設定しておく。従って、特に、使用者が何も指示しない場合には、このデフォルト設定の条件によってマスキングがなされる。既に述べたとおり、液晶テレビが特定のマスキング条件でマスキングを実行中、「マスキング方法の変更」は、何時でも割り込み処理によって、実行可能としておく。
【００９５】
割り込み処理により、「マスキング方法を変更する」を選んだ場合（Ｓｔ．２）、既存の設定値に変更するか否かの指示がなされるので（Ｓｔ．３）、既に、他の設定値がある場合にはＳｔ．５に示すように他の保持設定値で実行させることも出来る。このＳｔ．５のフローの詳細は、図６に示しているので、後で詳細に説明する。
【００９６】
既存の設定値でのマスキングを行わない場合には、手動によってマスキング方法を変更するか否かの指示が求められるので（Ｓｔ．４）、手動によってマスキング方法を変更する場合には、「手動操作によるマスキング方法変更」（Ｓｔ．６）のための処理を実行する。この「手動によるマスキング方法変更」（Ｓｔ．６）の詳細は、図７〜図１５を用いて後で説明する。
【００９７】
図６は、既にマスキング条件に関する登録済みの設定値がある場合のフローの一例を示すものである。図６（ａ）に示すとおり、先ず、「登録済みの設定値から選択する」処理がなされる（Ｓｔ．１）。これは、例えば、図６（ｂ）に示すように、表示装置１上に、選択候補（設定値データ１、・・・設定値データｎ）を示す表示を行い、その中から、特定の設定値データを選ばせることによって行うことができる。あるいは、図６（ｃ）に示すように、画面上に実際のマスキングを実行した時の様子を示す画面６１〜６４を順次表示させ、マスキングの状況を見ながら選ばせても良い。
【００９８】
図６（ａ）において、特定の設定値のマスキングを選択した後（Ｓｔ．１）、これを確定させ（Ｓｔ．２）、確定した設定値に基づいてマスキングを実行する（Ｓｔ．３）。この確定した設定値に基づくマスキング方法を優先設定値として設定する（Ｓｔ．４）場合、即ち、工場出荷時のデフォルト設定に替えて新たに優先表示させるようにする場合には、確定した設定値を優先設定値として設定する（Ｓｔ．４）。この場合、図１４に示すマスク設定パラメータ表中の優先欄に○が記入されることとなる。
【００９９】
次に、マスキングの条件を手動で設定する場合を説明する。
【０１００】
図７は、マスキングの条件を手動で設定する場合の処理の概要を示している。図７において、「手動操作による設定」（Ｓｔ．１）の詳細は、図８、図９を用いて、後で詳細を説明するが、このＳｔ．１で選択した設定値を確定するか否かが求められるので（Ｓｔ．２）、確定する旨の指示を行うと、確定した設定値によるマスキング表示が実行される（Ｓｔ．３）。さらに、上記Ｓｔ．３において実行させた設定値を優先設定値とする場合には、その旨の指示を行う（Ｓｔ．４）。
【０１０１】
図８は、図７における「手動操作による設定」（Ｓｔ．１）の詳細を説明するためのフロー図である。図８において、先ず、マスキングの箇所の選択、マスキングの量（幅）の選択が手動によって行われる（Ｓｔ．１）。
【０１０２】
このマスキングの箇所の選択、およびマスキングの量（幅）の選択を行う際の手動操作の一例を、図９、図１０を用いて説明する。
【０１０３】
手動操作によるマスキング実行処理に入ると、表示装置１の表示画面上には、図９（ａ）に示されるように、マスキングを実行する場所を選ぶためのリスト９１が表示される。なお、図９（ａ）、（ｂ）、（ｄ）において、表示装置１中に、ノイズ２が画面の上下端部に現れている状況が示されている。以下に述べる使用者による液晶テレビの操作は、図４（ｂ）に示したリモートコントローラ３６の操作によって、例えば、「メニュー」キー４２、「上下左右移動指示」キー４５、「決定」キー４４等の押し下げ操作によって行われる。
【０１０４】
図９（ａ）に示されたリスト９１中、「画面の下部のみを設定」の項目９２を選択すると、「画面の下部のみを設定」の項目９２の箇所がハイライト表示され、次いで、図９（ｂ）に示すように、表示装置１の中央に「画面下部のみを設定中」の表示９３がなされると共に、画面の端部分に手動操作のための操作ガイド表示３が表示される。
【０１０５】
操作ガイド表示３中には、調整を実行するためのスライドバー４が含まれているので、リモートコントローラ３６の「上下方向移動指示」キーを用いて、このスライドバーを目安にし、このスライドバーを画面上方向に動かすことにより、マスク５部分の幅を調整する。図９（ｃ）は、ノイズ２部分がマスク５により完全に覆われた状況を示している。
【０１０６】
次に、「画面の上部のみを設定」を選択して、前記の「画面の下部のみを設定」する場合と同様に、操作ガイド表示３のスライドバー４を目安にして画面上部にマスク５を施す。図９（ｄ）は、この時の画面を示しており、「画面上部のみを設定中」の表示９５が現れている。最終的には、図９（ｅ）に示すとおり、ノイズ部分の全てがマスク５によって覆われることになる。
【０１０７】
図１０は、手動操作による設定の別の設定方法を示している。なお、図１０において、図９と同一の箇所には同一の番号を付与しているので、これらの部分に対する説明は省略する。図１０（ａ）は、表示装置１中に「画面上下部を同時に設定中」との表示９７があるとおり、画面上下部を同時に設定する方法を示している。この場合、操作ガイド表示３のスライドバー４を上方向に動かすことにより、画面下部のノイズ２部分は画面の下部から、また、画面上部のノイズ２の部分は画面の上から、（即ち、画面の端部から）同時にマスクが成されることになる。ノイズ２の領域がマスク５により完全に覆われた時点で手動操作が終了する。
【０１０８】
図１０（ｂ）は、「画面左右部を同時に設定中」の表示９８があるとおり、ノイズ２を覆う操作を、左右から同時に行うことを示している。図１０（ｃ）は、さらに、別の方法を示しており、この場合は、「画面上下左右を同時に設定中」との表示９９があることから分かるとおり、画面の４辺を同時に調整するものである。いずれも、図９に示した調整よりは効率的ではあるが、図９に示したように４辺夫々別にマスク５の量（幅）を設定することが出来ないので、決め細やかな調整が出来ない。以上の操作により、マスキングを施す箇所の設定とマスキング量（幅）が設定できる。
【０１０９】
次いで、図８に戻って、マスキング処理の実行によって形成されたマスク５部分にグラデーションをかけるか否かの設定を行う（Ｓｔ．２）。グラデーションを実行する場合には、マスキング方法をグラデーションに変更する（Ｓｔ．３）。なお、グラデーションとは、図１１に示すように、マスク５の内、表示装置１の枠５０部分に隣接したマスク部分５２から離れたマスク部分５３に至る間で、徐々に色の濃さを変える事をいう。図１１（ａ）は、表示装置１の表示画面の枠５０に沿って周囲全体をマスク５が覆っている場合を示しており、図１１（ｂ）は、表示装置１の表示画面の上の枠５０のみにマスク５を施した例を示している。
【０１１０】
さらに、マスク５の色を決める処理に入る。この実施例では、前キャビネットの色に応じてマスキングをするか否かを最初に決めることとしている（Ｓｔ．４、Ｓｔ．５）。前キャビネットの色、即ち、枠５０の色に合わせてマスク５を施すと、マスク５と枠５０が違和感なくつながるという効果を奏するので、マスキングを目立たなく行うような場合には極めて有効である。この場合、前キャビネットの色に関する情報は、図２のマスキング処理用メモリ３７内に予め保持しておく必要があることは言うまでも無い。
【０１１１】
マスク５の色を、枠５０の色と無関係に、ユーザーの好みによって設定することも出来る（Ｓｔ．６、Ｓｔ．７）。この場合は、例えば、図１２（ａ）、（ｂ）に示すようなカラーパレットを利用して好みの色を選択できるようにしておくことが好ましい。この場合カラーパレットに関する情報は、図２のマスキング処理用メモリ３７内に予め保持しておくものとする。
【０１１２】
この実施例では、周囲の明るさに応じてマスキングの色を変えることもできるようにしている（Ｓｔ．８、Ｓｔ．９）。即ち、図２のＯＰＣセンサ３８（光センサ）によって、液晶テレビが置かれた周囲の明るさを検出し、それに応じた色でマスキングを施す。例えば、図１３に示した表に記載されているように、明るさ毎にマスク５の色を変えるように設定しても良いし、色は同じだが、色の濃さを変えても良い。
【０１１３】
さらに、この実施例では、明るさに応じて（色を変えるのではなく）マスク５部分の輝度を変えることもできるようにしている（Ｓｔ．１０、Ｓｔ．１１）。最近の液晶テレビでは、バックライトにＬＥＤを用いて、狭い領域毎に前記ＬＥＤの明るさ（輝度）を調節できるように構成したもの（エリアアクティブ方式のバックライト装置）が提案されている。この場合には、ＬＥＤの輝度を調整することで容易に実施できる。
【０１１４】
また、マスク５部分の色として、デフォルト値を黒としておき、黒色のマスキングとすることもできる（Ｓｔ．１２）。マスク５の色等は、以上に述べたものに限らず、種々の形で実行することができる。
【０１１５】
図１４は、マスキングに際して考慮すべき各種の条件（選択項目）を纏めて表にしたものである。例えば、マスキングの条件には、既に説明したとおり、グラデーションをかけるか否か、グラデーションをかけるとしてその強度をどうするか、マスクの幅をどうするか、マスクを設ける領域をどうするか、マスクの色をどうするか、等の要素があり、さらには、額縁状にする、あるいは特定の模様にする等の要素がある。特定の模様については、予め幾つかのパターンを登録して置き、そのパターンを選択するようにしておけばよい。その場合、特定のパターンに対し、色を図１２に示したカラーパレットを用いて選択できるように設定することも可能である。
【０１１６】
本実施例では、上記の条件（選択項目）に対して、特定の条件（選択項目）を予め選択しておき、登録しておくことも可能である。図１４の表中には、メーカ設定（工場出荷時のデフォルト設定）、ユーザー設定１、ユーザー設定２として登録された例が示されている。
【０１１７】
また、最優先されるべき設定を選び、登録しておくことも可能である。図１４に記載の例では、メーカが工場出荷の際に設定した条件を優先されるべき条件として設定している。既に説明したとおり、優先度が付与されたマスキングの条件は、図５と共に説明した「優先設定の設定値によるマスキング方法でマスキングを実行する」際の設定値となる。
【０１１８】
デフォルト設定としてのメーカ設定値の詳細を説明すると、マスク５としてはグラデーションを施すこととし、その程度は中程度とする、マスク５の幅は５ドットであり、全周囲に施す、マスク５の色は、キャビネット（あるいは枠）の色と同じ色とする、というものである。この場合には、マスク５とマスク５の周囲の枠の色が同じであるため、マスクを施したことによる違和感が少ない。なお、まったく同一の色でなくとも、近い色、即ち、同じ色相の色であれば同様な効果が期待できる。
【０１１９】
手動によるマスキング条件の設定では、図１４に示したマスキング条件を表示装置１の表示画面に一覧表示させ、項目毎に個別に選択できるようにしても良い。図１５は、この場合の状況を示している。表示装置１の表示画面中に図１４で示した選択項目と同様な表を表示しておき、各項目を直接指示し選択できるようにする。図１５において、例えば、選択中の項目を点滅で示し、確定した項目をハイライト表示する。変更すべき全ての項目を選択が終了した時点で、例えば、リモートコントローラ３６の「決定」キーを押下げる。
【０１２０】
図１５では、「グラデーション」の項目を選択中であり、グラデーションの条件として「中」を選択している状態の例を示している。項目の選択等の入力には、リモートコントローラ３６各種のキーを利用する。また、決定した設定値は、随時「設定値」欄に表示する。必要な項目の選定を終了した後で、これを新たなユーザー設定値として登録できるようにしても良い。
【０１２１】
［実施例２］
図１６は、本発明の第２の実施例を示す図であり、マスキング処理を完全に自動で行う場合のフローを示している。この場合、本発明が適用される液晶テレビ自体の構成は図２に示した液晶テレビ１０と同様であってよく、マスキング処理部３９の動作が異なるものである。
【０１２２】
図１６において、液晶テレビの電源スイッチがＯＮになると、入力信号がドットバイドット対応信号であるか否かを判断して（Ｓｔ．２）、ドットバイドット対応信号である場合には、ドットバイドット表示に設定する（Ｓｔ．３）。さらに、画面周辺部に対応する映像信号にノイズがあるか否かを検出して（Ｓｔ．５）、ノイズがあるときには、走査線の本数または水平周波数時間に換算したマスキング量（マスクの幅）を計算し（Ｓｔ．６）、そのマスク幅でマスキング処理を行う（Ｓｔ．７）。
【０１２３】
画面の周辺部にノイズがあるか否かを検出することは、必ずしも容易ではないが、例えば、画面周辺部の画像情報と隣接する部分の画像情報の差異を、所定の時間に亘って検出し、大きな差異があるときにはノイズありと判断させることなどで達成できる。また、同じ番組を見ている途中でマスキングが実行されたり停止されたり、あるいは、マスキングの状態が変化すると、画面周辺部の画像が乱れて醜くなるので、入力切り替え、例えば、チャンネル切り替え等がなされるまでは、マスキングを変更しないように設定しておくことも出来る。
【０１２４】
なお、以上の説明では、液晶テレビを前提にして、液晶テレビでデジタルテレビ放送を受信した場合を想定して説明したが、テレビ放送を受信しない場合でも、例えば、デジタル放送を録画したＢＤを再生した場合にも、液晶表示パネル等の表示装置の周辺にノイズが再生されることがあり、本願発明が有効に適用されることは明らかである。即ち、本願発明は、テレビ受像機に限らず、ドットバイドット表示が可能な表示装置を備えた、ＢＤ記録および／または再生装置を内蔵する画像表示装置、あるいは、ＢＤ記録および／または再生装置に対する接続端子を有する画像表示装置に対しても有効に適用できる。
【０１２５】
また、以上の説明では、表示装置として、液晶表示パネルを想定して説明してきたが、液晶表示パネルに限られることなく、ドットバイドット表示が可能な表示装置、たとえば、プラズマパネル、ＥＬパネル等を用いることができる外、投射型の画像表示装置における表示画面を対象とすることも出来ることは明らかである。
【０１２６】
なお、本発明は上述した各実施形態に限定されるものではない。当業者は、請求項に示した範囲内において、本発明をいろいろと変更できる。すなわち、請求項に示した範囲内において、適宜変更された技術的手段を組み合わせれば、新たな実施形態が得られる。
【０１２７】
（プログラムおよび記録媒体）
最後に、表示装置１に含まれている各ブロックは、ハードウェアロジックによって構成すればよい。または、次のように、ＣＰＵ（Ｃｅｎｔｒａｌ  Ｐｒｏｃｅｓｓｉｎｇ  Ｕｎｉｔ）を用いてソフトウェアによって実現してもよい。
【０１２８】
すなわち表示装置１は、各機能を実現するプログラム（画像表示装置制御プログラム）の命令を実行するＣＰＵ、このプログラムを格納したＲＯＭ（Ｒｅａｄ  Ｏｎｌｙ  Ｍｅｍｏｒｙ）、上記プログラムを実行可能な形式に展開するＲＡＭ（Ｒａｎｄｏｍ  Ａｃｃｅｓｓ  Ｍｅｍｏｒｙ）、および、上記プログラムおよび各種データを格納するメモリ等の記憶装置（記録媒体）を備えている。この構成により、本発明の目的は、所定の記録媒体によっても、達成できる。
【０１２９】
この記録媒体は、上述した機能を実現するソフトウェアである表示装置１のプログラムのプログラムコード（実行形式プログラム、中間コードプログラム、ソースプログラム）をコンピュータで読み取り可能に記録していればよい。表示装置１に、この記録媒体を供給する。これにより、コンピュータとしての表示装置１（またはＣＰＵやＭＰＵ）が、供給された記録媒体に記録されているプログラムコードを読み出し、実行すればよい。
【０１３０】
プログラムコードを表示装置１に供給する記録媒体は、特定の構造または種類のものに限定されない。すなわちこの記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【０１３１】
また、表示装置１を通信ネットワークと接続可能に構成しても、本発明の目的を達成できる。この場合、上記のプログラムコードを、通信ネットワークを介して表示装置１に供給する。この通信ネットワークは表示装置１にプログラムコードを供給できるものであればよく、特定の種類または形態に限定されない。たとえばインターネット、イントラネット、エキストラネット、ＬＡＮ、ＩＳＤＮ、ＶＡＮ、ＣＡＴＶ通信網、仮想専用網（Ｖｉｒｔｕａｌ  Ｐｒｉｖａｔｅ  Ｎｅｔｗｏｒｋ）、電話回線網、移動体通信網、衛星通信網等であればよい。
【０１３２】
この通信ネットワークを構成する伝送媒体も、プログラムコードを伝送可能な任意の媒体であればよく、特定の構成または種類のものに限定されない。たとえばＩＥＥＥ１３９４、ＵＳＢ（Ｕｎｉｖｅｒｓａｌ  Ｓｅｒｉａｌ  Ｂｕｓ）、電力線搬送、ケーブルＴＶ回線、電話線、ＡＤＳＬ（Ａｓｙｍｍｅｔｒｉｃ  Ｄｉｇｉｔａｌ  Ｓｕｂｓｃｒｉｂｅｒ  Ｌｉｎｅ）回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお本発明は、上記プログラムコードが電子的な伝送で具現化された、搬送波に埋め込まれたコンピュータデータ信号の形態でも実現され得る。
【産業上の利用可能性】
【０１３３】
本発明によれば、ドットバイドットで表示することが可能な液晶テレビ等の画像表示装置であって、デジタル放送を受信した場合等に画面周辺部に現れることがあるノイズ部分を、見た目を損なわずにカバーすることができる画像表示装置を提供することができ、産業上の利用可能性は極めて高い。
【符号の説明】
【０１３４】
１  表示装置
２  映像ノイズ
３  インディケータ
４  スライドバー
５  マスク
６  ＣＰＵ
７  メモリ
８  バス
１０  液晶テレビ（画像表示装置）
１４  デジタルチュナー部
２４  ＥＰＧ／ＯＳＤ／予約処理部
３５  リモコン受光部
３６  リモートコントローラ
３７  マスキング処理用メモリ
３８  ＯＰＣセンサ
３９  マスキング処理部
【図１】
2010243943.tif 000003
【図２】
2010243943.tif 000004
【図３】
2010243943.tif 000005
【図４】
2010243943.tif 000006
【図５】
2010243943.tif 000007
【図６】
2010243943.tif 000008
【図７】
2010243943.tif 000009
【図８】
2010243943.tif 000010
【図９】
2010243943.tif 000011
【図１０】
2010243943.tif 000012
【図１１】
2010243943.tif 000013
【図１２】
2010243943.tif 000014
【図１３】
2010243943.tif 000015
【図１４】
2010243943.tif 000016
【図１５】
2010243943.tif 000017
【図１６】
2010243943.tif 000018
【図１７】
2010243943.tif 000019
【図１８】
2010243943.tif 000020